(57)【要約】【課題】送信されたＳＭＳメッセージに対する受信側の受信確認の可否に対する情報を送信側で確認可能にするＳＭＳメッセージ受信確認のサービス方法と、これを行うための移動通信端末機及びサービスシステムが開示される。【解決手段】送信側の端末機は、移動通信網を経由してメッセージ確認要請ＳＭＳメッセージを受信側の端末機に提供し、受信側の端末機がメッセージ確認要請ＳＭＳメッセージを受信することによって伝達されるディスプレイ確認ＳＭＳメッセージの提供を受けて、送信済みトレイに保存されたＳＭＳメッセージを受信確認にチェックする。また、受信側の端末機は、移動通信網を経由してメッセージ確認要請ＳＭＳメッセージが提供されることによって、これを保存し、保存されたメッセージ確認要請ＳＭＳメッセージが確認されることによって、メッセージ確認ＳＭＳメッセージを送信側の端末機に提供する。これによって、送信側が受信側にＳＭＳメッセージを伝達した後、受信側が該当ＳＭＳメッセージを確認したか否か知ることができる。【選択図】図１
2009503674.tif 000002
【特許請求の範囲】
【請求項１】
移動通信網を経由してＳＭＳメッセージを受信する段階と、
前記ＳＭＳメッセージがメッセージ確認ＳＭＳメッセージにチェックされる場合、前記メッセージ確認ＳＭＳメッセージに対応する送信メッセージをメッセージ確認にチェックする段階と、
前記ＳＭＳメッセージが確認要請ＳＭＳメッセージにチャックされる場合、前記メッセージ確認要請ＳＭＳメッセージを受信トレイに保存する段階と、
前記保存されたメッセージ確認要請ＳＭＳメッセージを使用者が確認することによって、前記受信されたＳＭＳメッセージの使用者受信を知らせるメッセージ確認ＳＭＳメッセージを前記移動通信網を経由して前記ＳＭＳメッセージ送信側に送信する段階と、を含むことを特徴とするＳＭＳメッセージ受信確認サービスの方法。
【請求項２】
前記メッセージ確認要請ＳＭＳメッセージは、トランスポートレイヤーのテレサービス識別者に付与された値を用いて識別されることを特徴とする請求項１記載のＳＭＳメッセージ受信確認サービスの方法。  
【請求項３】
前記メッセージ確認ＳＭＳメッセージは、トラスポートレイヤーのテレサービス識別者に付与された値を用いて識別されたことを特徴とする請求項１記載のＳＭＳメッセージ受信確認サービスの方法。
【請求項４】
前記保存されたメッセージ確認要請ＳＭＳメッセージを使用者が確認時にメッセージ確認ＳＭＳメッセージの送信可否を選択する段階を更に具備し、
送信選択時には、前記受信されたＳＭＳメッセージの使用者受信を知らせるメッセージ確認ＳＭＳメッセージを前記移動通信網を経由して前記ＳＭＳメッセージ送信側に送信し、遮断選択時には、前記メッセージ確認ＳＭＳメッセージを送信しないことを特徴とする請求項１記載のＳＭＳメッセージ受信確認サービスの方法。
【請求項５】
発信者の端末機の表示窓にＳＭＳメッセージ発信リストを表示する段階と、ＳＭＳ受信確認信号の受信時に前記発信リスト上に対応するＳＭＳメッセージ表示行に受信確認表示をする段階と、を含むことを特徴とする移動通信端末機のＳＭＳメッセージ受信確認の表示方法。
【請求項６】
前記受信確認の表示は、
前記表示窓のリストの各行に対応してそれぞれチェックボックスを表示する段階と、
前記受信確認された行のチェックボックス内にチェック表示をする段階と、を含むことを特徴とする請求項５記載の移動通信端末機のＳＭＳメッセージ受信確認の表示方法。    
【請求項７】
前記受信確認の表示は、
前記受信確認された行の文字列の色を他の色に表示することを特徴とする請求項５記載の移動通信端末機のＳＭＳメッセージ受信確認の表示方法。
【請求項８】
前記受信確認表示は、前記受信確認された行の文字列にアンダーラインを表示することを特徴とする請求項５記載の移動通信端末機のＳＭＳメッセージ受信確認の表示方法。
【請求項９】
移動通信網を経由してＳＭＳメッセージを受信する過程と、
前記ＳＭＳメッセージがメッセージ確認ＳＭＳメッセージにチェックされる場合、前記メッセージ確認ＳＭＳメッセージに対応する送信メッセージをメッセージ確認にチェックする過程と、
前記ＳＭＳメッセージがメッセージ確認要請ＳＭＳメッセージにチェックされる場合、前記メッセージ確認要請ＳＭＳメッセージを受信トレイに保存する過程と、
前記保存されたメッセージ確認要請ＳＭＳメッセージを使用者が確認することによって、前記受信されたＳＭＳメッセージの使用者受信を知らせるメッセージ確認ＳＭＳメッセージを前記移動通信網を経由して前記ＳＭＳメッセージ送信側に送信する過程と、を含むことを特徴とするプログラムが内装された移動通信端末機。
【請求項１０】
移動通信網を媒介に設定された通信チャンネルを有する移動通信端末機において、
前記移動通信網と通信チャンネルを設定する無線回路部と、
メッセージ発送モード時、メッセージ確認要請ＳＭＳメッセージが作成されることによって、作成されたメッセージ確認要請ＳＭＳメッセージを送信済みトレイに保存及び設定された通信チャンネルを用いて前記移動通信網に提供するように制御し、
前記受信側で前記メッセージ確認要請ＳＭＳメッセージの受信によって伝達されるメッセージ確認ＳＭＳメッセージと前記送信済みトレイに保存された複数のメッセージ確認要請ＳＭＳメッセージが存在する場合には、保存された該当メッセージ確認要請ＳＭＳメッセージに受信確認にチェックされるように制御する制御部と、を含むことを特徴とする移動通信端末機。  
【請求項１１】
前記制御部は、
メッセージ受信モード時、前記移動通信網と設定された通信チャンネルを用いて送信側から提供されたメッセージ確認要請ＳＭＳメッセージの伝達を受け、受信トレイに保存及び閲覧するように制御し、使用者によって保存されたメッセージ確認要請ＳＭＳメッセージが確認されることによって、メッセージ確認ＳＭＳメッセージを前記移動通信網を経由して前記送信側に提供するように更に制御することを特徴とする請求項１０記載の移動通信端末機。
【請求項１２】
前記メッセージ確認要請ＳＭＳメッセージの作成のためのキーパッドと、
前記キーパッドを通じて文字や数字が入力されることによって該当文字や数字を見せる表示部を更に含み、
前記表示部は、前記メッセージ確認要請ＳＭＳメッセージとともにチェックボックスを更に表示することを特徴とする請求項１０記載の移動通信端末機。
【請求項１３】
前記メッセージ確認要請ＳＭＳメッセージを保存するメモリ部を更に含み、
前記メモリ部は、新規作成されたメッセージ確認要請ＳＭＳメッセージを先入れ先出し方式で保存及び削除することを特徴とする請求項１２記載の移動通信端末機。
【請求項１４】
前記制御部は、トランスポートレイヤーのテレサービス識別者に付与された値を用いて前記メッセージ確認要請ＳＭＳメッセージを識別することを特徴とする請求項１０記載の移動通信端末機。
【請求項１５】
前記制御部は、トランスポートレイヤーのテレサービス識別者に付与された値を用いて前記メッセージ確認ＳＭＳメッセージを識別することを特徴とする請求項１０記載の移動通信端末機。
【請求項１６】
ＳＭＳメッセージを発信し、発信されたＳＭＳメッセージに対応するＳＭＳ受信確認信号を受信する移動通信端末機において、
文字及び記号を含む情報を表示するための表示窓と、
前記表示窓に表示されるＳＭＳメッセージ発信リスト表示部と、
前記ＳＭＳ受信確認信号の受信時、前記発信リスト上に対応するＳＭＳメッセージ発信表示行に受信確認表示をする受信確認表示部と、を含むことを特徴とする移動通信端末機。
【請求項１７】
移動通信網を媒介に通信チャンネルが設定された送信側端末機と、受信側端末機を含むＳＭＳメッセージ受信確認サービスシステムにおいて、
前記送信側端末機は、
前記移動通信網を経由してメッセージ確認要請ＳＭＳメッセージを前記受信側端末機に提供し、前記受信側端末機がメッセージ確認要請ＳＭＳメッセージを受信することによって伝達されるメッセージ確認ＳＭＳメッセージの提供を受けて送信済みトレイに保存されたＳＭＳメッセージを受信確認にチェックし、
前記受信側端末機は、
前記移動通信網を経由してメッセージ確認要請ＳＭＳメッセージが提供されることによって、これを保存し、保存されたメッセージ確認要請ＳＭＳメッセージが確認されることによって、メッセージ確認ＳＭＳメッセージを前記送信側端末機に提供することを特徴とするＳＭＳメッセージ受信確認サービスシステム。
【発明の詳細な説明】
【技術分野】
【０００１】
本発明は、ＳＭＳメッセージ受信確認サービスの方法と、これを行うための移動通信端末機、及びサービスシステムに関わり、より詳細には、送信されたＳＭＳメッセージに対する受信側の受信確認可否に対する情報を送信側で確認できるようにするＳＭＳメッセージ受信確認サービスの方法と、これを行うための移動通信端末機及びサービスシステムに関する。
【背景技術】
【０００２】
コード分割多重接近（ＣＤＭＡ；Ｃｏｄｅ  Ｄｉｖｉｓｉｏｎ  Ｍｕｌｔｉｐｌｅ  Ａｃｃｅｓｓ）方式において、ＳＭＳメッセージサービス（ＳＭＳ；Ｓｈｏｒｔ  Ｍｅｓｓａｇｅ  Ｓｅｒｖｉｃｅ）は、固有のデータ伝送が可能な性質を用いてシステム及び移動通信端末機に容易に具現される。
【０００３】
前記ＳＭＳメッセージは、両方向無線号出と同一の機能を有しているので、簡単な文字受信、音声メッセージ知らせ、文字伝送などが可能であるため、顧客の要求を収容している。
【０００４】
前記ＳＭＳメッセージは、基本的にＩＳ−９５−Ａ上のデータバーストメッセージ（Ｄａｔａ  Ｂｕｒｓｔ  ｍｅｓｓａｇｅ）を用いてシステムと移動通信端末機が送受信し、このメッセージの長さが一般的に制限的であって受信は１５０ｂｙｔｅｓ内外であり、送信は１００ｂｙｔｅｓ程度に限定されている。
【０００５】
これを受信したサービスは、メッセージ受信であるＭＴ（Ｍｏｂｉｌｅ  Ｏｒｉｇｉｎａｔｅｄ）ＳＭＳ、メッセージを送信しうるＭＯ（Ｍｏｂｉｌｅ  Ｏｒｉｇｉｎａｔｅｄ）ＳＭＳ、無線呼出とほぼ同一の放送型情報サービス、及び固有の両方向通信の特性を用いた注文型情報サービスに区分することができる。もちろん、これを拡張して色々な遠隔制御に用いることができる。
【０００６】
最近、携帯電話及び移動通信端末機の高い普及率に応じてＳＭＳメッセージサービスが広く用いられている。
【０００７】
一般的に、ＳＭＳサービスは、送信側が移動通信端末機を通じてＳＭＳメッセージを送信すると、移動通信網を経由して受信側の移動通信端末機に伝送される。
このような過程で送信側が送信したＳＭＳメッセージが正常的に移動通信網のＳＭＳサービスを管掌するＳＭＳＣサーバに正常的に受け付けされたことのみを知らせるだけ、該当ＳＭＳメッセージは、受信側に伝送されるとこれでＳＭＳメッセージ伝送過程は終了する。
【０００８】
したがって、送信側では受信側がＳＭＳメッセージを確認したかチェックできないので、送信側と受信側との間には意思伝達に対する正確性が低いという問題点がある。これは重要なＳＭＳメッセージの場合、送信側へ問題点を発生させるおそれがある。
【発明の開示】
【発明が解決しようとする課題】
【０００９】
これに本発明の技術的な課題は、このような従来の問題点を解決するためのものであって、本発明の目的は、送信側が発送したＳＭＳメッセージを受信側が確認したか否かに対する情報を送信側に提供することにある。
【００１０】
本発明の他の目的は、前記ＳＭＳメッセージの受信確認サービス方法を行うための移動通信端末機を提供することにある。
【００１１】
本発明の更に他の目的は、前記ＳＭＳメッセージの受信確認サービス方法を行うためのサービスシステムを提供することにある。
【課題を解決するための手段】
【００１２】
前記本発明の目的を実現するために一実施例によるＳＭＳメッセージ受信確認サービス方法は、移動通信網を経由してＳＭＳメッセージを受信する段階と、前記ＳＭＳメッセージがメッセージ確認ＳＭＳメッセージにチェックされる場合、前記メッセージ確認ＳＭＳメッセージに対応する送信メッセージをメッセージ確認にチェックする段階と、前記ＳＭＳメッセージが確認要請ＳＭＳメッセージにチャックされる場合、前記メッセージ確認要請ＳＭＳメッセージを受信トレイに保存する段階と、前記保存されたメッセージ確認要請ＳＭＳメッセージを使用者が確認することによって、前記受信されたＳＭＳメッセージの使用者受信を知らせるメッセージ確認ＳＭＳメッセージを前記移動通信網を経由して前記ＳＭＳメッセージ送信側に送信する段階と、を含む。
【００１３】
前記メッセージ確認要請ＳＭＳメッセージは、トランスポート階層のテレサービス識別者（Ｔｅｌｅｓｅｒｖｉｃｅ  Ｉｄｅｎｔｉｆｉｅｒ）に付与された値を用いて識別されることを特徴とする。  前記メッセージ確認ＳＭＳメッセージは、トランスポート階層のテレサービス識別者に付与された値を用いて識別されたことを特徴とする。
【００１４】
前記本発明の目的を実現するために他の実施例によるＳＭＳメッセージ受信確認サービスの方法は、発信者の端末機の表示窓にＳＭＳメッセージ発信リストを表示する段階と、ＳＭＳ受信確認信号の受信時に前記発信リスト上に対応するＳＭＳメッセージ表示行に受信確認表示をする段階と、を含む。
【００１５】
前記受信確認の表示は、前記表示窓のリストの各行に対応してそれぞれチェックボックスを表示する段階と、前記受信確認された行のチェックボックス内にチェック表示をする段階と、を含むことを特徴とする。    
【００１６】
前記受信確認の表示は、前記受信確認された行の文字列の色を他の色に表示することを特徴とする。
【００１７】
前記受信確認表示は、前記受信確認された行の文字列にアンダーラインを表示することを更に他の一特徴とする。
【００１８】
本発明の表示方法は、発信者の端末機表示窓にＳＭＳメッセージ発信リストを表示し、ＳＭＳ受信確認信号の受信時に前記発信リスト上に対応するＳＭＳメッセージ表示行に受信確認表示を行う段階を含む。
【００１９】
前記本発明の他の目的を実現するために一実施例による移動通信端末機は、移動通信網を経由してＳＭＳメッセージを受信する過程と、前記ＳＭＳメッセージがメッセージ確認ＳＭＳメッセージにチェックされる場合、前記メッセージ確認ＳＭＳメッセージに対応する送信メッセージをメッセージ確認にチェックする過程、前記ＳＭＳメッセージがメッセージ確認要請ＳＭＳメッセージにチェックされる場合、前記メッセージ確認要請ＳＭＳメッセージを受信トレイに保存する過程と、前記保存されたメッセージ確認要請ＳＭＳメッセージを使用者が確認することによって、前記受信されたＳＭＳメッセージの使用者受信を知らせるメッセージ確認ＳＭＳメッセージを前記移動通信網を経由して前記ＳＭＳメッセージ送信側に送信する過程と、を含むプログラムを内装する。
【００２０】
前記本発明の他の目的を実現するために他の実施例による移動通信端末機は、無線回路部、制御部を含み、移動通信網を媒介に設定された通信チャンネルを有する。前記無線回路部は、前記移動通信網と通信チャンネルを設定する。前記制御部は、メッセージ発送モード時、メッセージ確認要請ＳＭＳメッセージが作成されることによって、作成されたメッセージ確認要請ＳＭＳメッセージを送信済みトレイに保存及び設定された通信チャンネルを用いて前記移動通信網に提供するように制御し、前記受信側で前記メッセージ確認要請ＳＭＳメッセージの受信によって伝達されるメッセージ確認ＳＭＳメッセージと前記送信済みトレイに保存された複数のメッセージ確認要請ＳＭＳメッセージが存在する場合には、保存された該当メッセージ確認要請ＳＭＳメッセージに受信確認にチェックされるように制御する。ここで、前記制御部は、メッセージ受信モード時、前記移動通信網と設定された通信チャンネルを用いて送信側で提供されたメッセージ確認要請ＳＭＳメッセージの伝達を受け、受信トレイに保存及び閲覧するように制御し、使用者によって保存されたメッセージ確認要請ＳＭＳメッセージが確認されることによって、メッセージ確認ＳＭＳメッセージを前記移動通信網を経由して前記送信側に提供するように、更に制御することが望ましい。
【００２１】
前記移動通信端末機は、前記メッセージ確認要請ＳＭＳメッセージの作成のためのキーパッドと前記キーパッドを通じて文字や数字が入力されることによって該当文字や数字を見せる表示部を更に含み、前記表示部は、前記メッセージ確認要請ＳＭＳメッセージとともにチェックボックスを更に表示することを特徴とする。
【００２２】
前記本発明の他の目的を実現するために更に他の実施例による移動通信端末機は、ＳＭＳメッセージを発信し、発信されたＳＭＳメッセージに対応するＳＭＳ受信確認信号を受信する移動通信端末機において、表示窓、ＳＭＳメッセージ発信リスト表示部、及び受信確認表示部を含む。前記表示窓は、文字及び記号を含む情報を表示する。前記ＳＭＳメッセージ発信リスト表示部は、前記表示窓に表示される。前記受信確認表示部は、前記ＳＭＳ受信確認信号の受信時、前記発信リスト上に対応するＳＭＳメッセージ発信表示行に受信確認を表示する。
【００２３】
本発明の端末機は、ＳＭＳメッセージを発信し、対応するＳＭＳ受信確認信号を受信する移動通信端末機において、文字及び記号などを表示するための表示窓と、表示窓に表示されるＳＭＳメッセージ発信リスト表示部と、ＳＭＳ受信確認信号の受信時、前記発信リスト上に対応するＳＭＳメッセージ発信表示行に受信確認表示をする受信確認表示部と、を含むことを特徴とする。
【００２４】
前記本発明の他の目的を実現するために一実施例によるＳＭＳメッセージ受信確認サービスシステムは、移動通信網を媒介に通信チャンネルが設定された送信側端末機と、受信側端末機を含む。前記送信側端末機は、前記移動通信網を経由してメッセージ確認要請ＳＭＳメッセージを前記受信側端末機に提供し、前記受信側端末機がメッセージ確認要請ＳＭＳメッセージを受信することによって伝達されるメッセージ確認ＳＭＳメッセージの提供を受けて送信済みトレイに保存されたＳＭＳメッセージを受信確認にチェックすることを特徴とする。また、前記受信側端末機は、前記移動通信網を経由してメッセージ確認要請ＳＭＳメッセージが提供されることによって、これを保存し、保存されたメッセージ確認要請ＳＭＳメッセージが確認されることによって、メッセージ確認ＳＭＳメッセージを前記送信側端末機に提供することを特徴とする。
【発明の効果】
【００２５】
このようなＳＭＳメッセージ受信確認サービス方法と、これを行うための移動通信端末機及びサービスシステムによると、送信側が受信側にＳＭＳメッセージを伝達した後、受信側が該当ＳＭＳメッセージを確認したか否かがわかる。
【発明を実施するための最良の形態】
【００２６】
以下、添付する図面を参照して、本発明をより詳細に説明する。
【００２７】
図１は、本発明の実施例によるＳＭＳメッセージ受信確認サービス機能を行うサービスシステムを説明する概念図である。
【００２８】
図１を参照すると、ＳＭＳメッセージ受信確認サービスシステムは、送信側端末機１００、移動通信網２００、及び受信側端末機３００を含む。本実施例では、説明の便宜のために、ＳＭＳメッセージを最初発信する側を送信側と定義し、前記送信側がＳＭＳメッセージを発送する行為を送信と定義し、前記ＳＭＳメッセージの提供を受ける側を受信側に定義し、前記受信側がＳＭＳメッセージの提供を受ける行為を受信と定義して説明する。
【００２９】
送信側端末機１００は、前記移動通信網２００を経由してメッセージ確認要請ＳＭＳメッセージを前記受信側端末機３００に提供し、前記受信側端末機３００がメッセージ確認要請ＳＭＳメッセージを受信することによって伝達されるメッセージ確認ＳＭＳメッセージの提供を受けて送信済みトレイに保存されたＳＭＳメッセージを受信確認にチェックする。
【００３０】
移動通信網２００は、送信側基地局２１０、送信側交換局２２０、ＮＯ．７移動通信網２３０、ＨＬＲ（Ｈｏｍｅ  Ｌｏｃａｔｉｏｎ  Ｒｅｇｉｓｔｅｒ）サーバ２４０、ＳＭＳＣ（ｓｈｏｒｔ  Ｍｅｓｓａｇｅ  Ｓｅｒｖｉｃｅ  Ｃｅｎｔｅｒ）サーバ２５０、受信側交換局２６０、及び受信側基地局２７０を含み、送信側端末機１００と受信側端末機３００との間の通信チャンネルを設定する。前記送信側交換局２２０は、モバイルスイッチングセンサー（ＭＳＣ；Ｍｏｂｉｌｅ  Ｓｗｉｔｃｈｉｎｇ  Ｃｅｎｓｏｒ）、ベースステーションコントローラ（ＢＳＣ；Ｂａｓｅ  Ｓｔａｔｉｏｎ  Ｃｏｎｔｒｏｌｌｅｒ）及びベーストランシーバステーション（ＢＴＳ；Ｂａｓｅ  Ｔｒａｎｓｃｅｉｖｅｒ  Ｓｔａｔｉｏｎ）を含む。
【００３１】
前記ＨＬＲ（Ｈｏｍｅ  Ｌｏｃａｔｉｏｎ  Ｒｅｇｉｓｔｅｒ）サーバ２４０は、ＳＭＳメッセージ受信確認サービス申請可否と受信側端末機に対する情報（位置情報、受信可能可否、付加サービスなど）を管理する。
【００３２】
前記ＳＭＳＣサーバ２５０は、ＳＭＳメッセージを受信側端末機に伝送し、前記ＳＭＳメッセージ確認によるメッセージ確認ＳＭＳメッセージを送信側端末機に提供するように制御する。
【００３３】
受信側端末機３００は、前記移動通信網２００を経由してメッセージ確認要請ＳＭＳメッセージが提供されることによって、これを保存し、保存されたメッセージ確認要請ＳＭＳメッセージが確認されることによって、メッセージ確認ＳＭＳメッセージを前記送信側端末機１００に提供する。
【００３４】
本発明による送信側端末機または受信側端末機は、下記のような機能が行われるようにプログラミングされたソフトウエアーを共通に内装している。
【００３５】
即ち、移動通信網を経由してＳＭＳメッセージを受信することによって、前記ＳＭＳメッセージがメッセージ確認ＳＭＳメッセージにチェックされる場合、前記メッセージ確認ＳＭＳメッセージに対応する送信メッセージをメッセージ確認にチェックする過程と、前記ＳＭＳメッセージがメッセージ確認要請ＳＭＳメッセージにチェックされる場合、前記メッセージ確認要請ＳＭＳメッセージを受信トレイに保存する過程と、前記保存されたメッセージ確認要請ＳＭＳメッセージを使用者が確認することによって、前記受信されたＳＭＳメッセージの使用者受信を知らせるメッセージ確認ＳＭＳメッセージを前記移動通信網を経由して前記ＳＭＳメッセージ送信側に送信する過程を含むプログラムを搭載する。
【００３６】
図２は、本発明によるＳＭＳメッセージ受信確認サービス機能を有する移動通信端末機を説明するブロック図である。
【００３７】
図２を参照すると、ＳＭＳメッセージ受信確認サービス機能を有する移動通信端末機１００は、制御部１１０、キーパッド１２０、表示部１３０、メモリ部１４０、オーディオ処理部１５０、及び無線回路部１６０を含む。
【００３８】
制御部１１０は、キーパッド１２０、表示部１３０、メモリ部１４０、オーディオ処理部１５０、及び無線回路部１６０のような構成要素との信号及び／またはデータを受信するか送信する過程を通じて移動通信端末機の全ての機能を統制し制御する。
【００３９】
制御部１１０は、ＳＭＳメッセージ発送モード時、使用者によってメッセージ確認要請ＳＭＳメッセージが作成されることによって、作成されたメッセージ確認要請ＳＭＳメッセージを送信済みトレイに保存及び設定された通信チャンネルを用いて前記移動通信網に提供するように制御する。一例として、前記送信済みトレイは、前記メモリ部１４０に保存される。
【００４０】
制御部１１０は、前記受信側で前記メッセージ確認要請ＳＭＳメッセージの受信によって伝達されるメッセージ確認ＳＭＳメッセージと前記送信済みトレイに保存された複数のメッセージ確認要請ＳＭＳメッセージとの比較を通じて保存されたメッセージ確認要請ＳＭＳメッセージが存在する場合には、保存された該当メッセージ確認要請ＳＭＳメッセージに受信確認にチェックするように制御する。
【００４１】
制御部１１０は、ＳＭＳメッセージ受信モード時、前記移動通信網と設定された通信チャンネルを用いて送信側で提供されたメッセージ確認要請ＳＭＳメッセージの伝達を受けて受信トレイに保存及び閲覧するように制御する。一例として、前記受信トレイは、前記メモリ部１４０に保存される。
【００４２】
制御部１１０は、使用者によって保存されたメッセージ確認要請ＳＭＳメッセージが確認されることによって、メッセージ確認ＳＭＳメッセージを前記移動通信網を経由して前記送信側に提供するように制御する。
【００４３】
キーパッド１２０は、制御部１１０に使用者の命令を伝送する入力手段であって、機能を実行させる機能ボタンと、文字や数字を入力する一般ボタンとを含み、使用者の指示を制御部１１０に伝送する機能を果たす。
【００４４】
表示部１３０は、制御部１１０の制御によって、移動通信端末機の情報を知らせる情報画面、多様な機能を表示するメニュー画面、文字や数字を入力するようにする入力画面、これによる結果を示す結果画面などを表示する。したがって、移動通信端末機の使用者はこれを見て自分が希望する機能を果たすことができる。
【００４５】
メモリ部１４０は、制御部１１０によって処理された機能を駆動するプログラム、使用者の便利性と基本的な他の機能を具現する所定のプログラムなどを保存する。前記メモリ部１４０は、一般的にフラッシュメモリ（ｆｌａｓｈ  ｍｅｍｏｒｙ）、ラム（ＲＡＭ；Ｒａｎｄｏｍ  Ａｃｃｅｓｓ  Ｍｅｍｏｒｙ）、及びロム（ＲＯＭ；Ｒｅａｄ  Ｏｎｌｙ  Ｍｅｍｏｒｙ）を含む。
【００４６】
二重フラッシュメモリには、基本的なリアルタイム（ｒｅａｌ  ｔｉｍｅ）処理運営システム（ＯＳ；ｏｐｅｒａｔｉｎｇ  ｓｙｓｔｅｍ）と移動通信端末機の呼処理ソフトウエアが保存され、これらのプログラムの変数及び状態は前記ラムから読み込んで動作させる。
【００４７】
前記ロムは、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）で構成され、電気的に消すか再度保存しうる非揮発性データが保存され、前記制御部１００の命令による入／出力を行う。
【００４８】
前記ロムに保存されるデータとしては、削除されず半永久的に使用しうるＮＡＭ（ｎｕｍｂｅｒ  ａｓｓｉｇｎｍｅｎｔ  ｍｏｄｕｌｅ）パラメータ（ｐａｒａｍｅｔｅｒ）、その他保存用データ（電話番号及び名前、文字メッセージ、動画像など）などである。
【００４９】
なお、前記フラッシュメモリは、処理速度が速くてデータが保存される非揮発性（ｎｏｎ−ｖｏｌａｔｉｌｅ）メモリであって、移動通信端末機のソフトウエアをアップグレードする場合、アップグレードされたソフトウエアが保存される。
【００５０】
特に、前記フラッシュメモリには、送信側が受信側に送るメッセージに対してメッセージ確認要請を加えて送る機能と、受信側が送信側からもらったメッセージを確認する旬間、送信側に受信されたメッセージを確認したことを知らせるメッセージ確認ＳＭＳメッセージを伝送する機能を果たすプログラムが保存される。
【００５１】
これに加えて、前記メモリ部には相手から送信された文字メッセージと、移動通信端末機がシステムを運営するために必要とするシステム情報などが保存される。
【００５２】
オーディオ処理部１５０は、移動通信端末機の使用者がマイクを通じて録音するアナログ音声をデジタルデータに処理してこれを制御部１１０に伝送するか、外部から受信されたデータを処理してスピーカ（ＳＰＫ）を通じてアナログ音声を出力する役割を果たす。
【００５３】
無線回路部１６０は、移動通信網と通信チャンネルを設定して、外部の電話機が発送する電話通話や文字メッセージ、または音声データをアンテナ（ＡＮＴ）を通じて受信し、これを制御部１１０に伝送するか、メモリ部１４０に保存されているデータをアンテナを通じて送信側の電話機に伝送する機能を果たす。
【００５４】
前述した移動通信端末機には、送信側が受信側に送るＳＭＳメッセージに対してメッセージ確認要請を付加して送る機能と受信側が送信側からもらったＳＭＳメッセージを確認する旬間、送信側に受信されたメッセージを確認したことを知らせるメッセージ確認ＳＭＳメッセージを伝送する機能が搭載されるので、送信側と受信側との意思伝達の可否に正確性を期することができる。
【００５５】
図３乃至図５は、本発明によるＳＭＳメッセージ受信確認サービスに対する送信側の移動通信端末機の使用者画面を示す図である。
【００５６】
まず、使用者がキーパッドやボタン操作などを通じてメッセージ管理モードを選択すると、受信トレイ、発信トレイ、ＭＭＳ（Ｍｕｌｔｉｍｅｄｉａ  Ｍｅｓｓａｇｉｎｇ  Ｓｅｒｖｉｃｅ）、環境設定のようなディレクトリ設定用画面が図３に示したように表示される。
【００５７】
図３の画面でキーパッドやボタン操作などを通じて発信トレイ関連モードを選択すると、新規メッセージの作成、送信済みトレイ、受信箱、下書きトレイのようなサブディレクトリ設定用画面が図４に示したように表示される。
【００５８】
図４の画面でキーパッドやボタン操作などを通じて送信済みトレイ関連モードを選択すると、図５に示したように、使用者が送ったＳＭＳメッセージ発信リストに対応するＳＭＳメッセージが表示される。
【００５９】
ここで、表示される発信リストの送信済みＳＭＳメッセージの初頭部分には別途のチェックボックスが更に表示される。前記チェックボックスは、アクティブまたは非アクティブされる方式を通じて使用者が送ったＳＭＳメッセージのうち、いずれを受信側で確認したか、あるいはまだ確認していないかのような情報を知らせる。
【００６０】
図５では、チェックボックスを表示する方式で受信確認を表示したが、前記の受信確認された行の文字列の色を他の色に示すかあるいは前記受信確認された行の文字列にアンダーラインを表示することもできる。
【００６１】
前記表示される送信済みＳＭＳメッセージは、メッセージ発送時刻がもっとも最近から古い順に表示することもでき、受信側における未確認のＳＭＳメッセージのみ表示することもできる。
【００６２】
図５では、送信済みトレイに受信側で確認したメッセージと未確認のメッセージとが混在していることを示したが、別途のサブディレクトリを更に具備して確認メッセージのみ別途に保存するトレイと未確認メッセージのみ別途に保存するトレイを互いに異なる画面を表示することもできる。  
【００６３】
図６は、ＳＭＳメッセージサービスのためのＳＭＳプロトコールスタック（ｐｒｏｔｏｃｏｌ  ｓｔａｃｋ）を示す図である。
【００６４】
図６を参照すると、ＳＭＳはＩＳ−９５−Ａのデータバーストメッセージ（Ｄａｔａ  Ｂｕｒｓｔ  Ｍｅｓｓａｇｅ）（またはリンクレイヤー）に基づいて形成され、伝送メッセージの長さは一例としてハングル１００字程度の最大２００ｂｙｔｅである。
【００６５】
ＳＭＳプロトコール構造は、フォーワードチャンネル（Ｆｏｒｗａｒｄ  Ｃｈａｎｎｅｌ）のページングチャンネル（Ｐａｇｉｎｇ  Ｃｈａｎｎｅｌ）またはフォーワードトラフィックチャンネル（Ｆｏｒｗａｒｄ  Ｔｒａｆｆｉｃ  Ｃｈａｎｎｅｌ）に伝送され、リバースチャンネル（Ｒｅｖｅｒｓｅ  Ｃｈａｎｎｅｌ）の場合、アクセスチャンネル（Ａｃｃｅｓｓ  Ｃｈａｎｎｅｌ）またはリバーストラフィックチャンネルのデータバーストメッセージ（Ｄａｔａ  Ｂｕｒｓｔ  ｍｅｓｓａａｇｅ）に伝送される。加入者が通話中であるときには、音声通話中にデータ伝送が可能な多重化モード（Ｍｕｌｔｉｐｌｅｘ  Ｏｐｔｉｏｎ）に動作される。  
【００６６】
図６に示したＳＭＳは、データバーストメッセージをリンクレイヤーに設定し、リレーレイヤーでは、移動通信端末機の状態、例えば、アイドルモード（Ｉｄｌｅ  Ｍｏｄｅ）、トラフィックモード（Ｔｒａｆｆｉｃ  Ｍｏｄｅ）のようなメッセージの長さによって伝送チャンネルを設定する。リレーレイヤーの詳細な役割は下記のようである。
【００６７】
即ち、トランスポートレイヤー（Ｔｒａｎｓｐｏｒｔ  Ｌａｙｅｒ）のメッセージを受信して次の指示されたリレーポイント（Ｒｅｌａｙ  ｐｏｉｎｔ）またはエンドポイント（Ｅｎｄ  ｐｏｉｎｔ）に送信する機能と、メッセージが次のリレーポイントまたはエンドポイントに伝送されないと、トランスポートレイヤーにエラーインディケイション（Ｅｒｒｏｒ  Ｉｎｄｉｃａｔｉｏｎ）を生成する機能と、受信したメッセージをトランスポートレイヤーに伝達する機能と、メッセージ中継のためにＩＳ−９５−Ａリンクレイヤーへの接続及び統制する機能である。
【００６８】
一方、トランスポートレイヤー（Ｔｒａｎｓｐｏｒｔ  Ｌａｙｅｒ）は、基本的にメッセージ送受信のメッセージセンター（ＭＣ）と移動通信端末機との終端点を設定し、移動通信端末機でテレサービスレイヤー（Ｔｅｌｅｓｅｒｖｉｃｅ  Ｌａｙｅｒ）から運搬者データ（Ｂｅａｒｅｒ  Ｄａｔａ）を受けてメッセージを構成し、詳細な役割は下記のようである。
【００６９】
即ち、テレサービスレイヤーからメッセージパラメータを受け付けてトランスポートレイヤーメッセージを構成し、これを適切なリレーレイヤーサービスプリミティブ（Ｒｅｌａｙ  Ｌａｙｅｒ  Ｓｅｒｖｉｃｅ  ｐｒｉｍｉｔｉｖｅ）を用いてリレーレイヤーに伝達する機能と、全ての送信メッセージに対する応答（ａｃｋｎｏｗｌｅｄｇｍｅｎｔ）が受け付けられると、これをリレーレイヤーに通知する機能と、リレーレイヤーのエラーが報告されると、これをテレサービスレイヤーに通知する機能と、リレーレイヤーからＳＭＳメッセージを受信してこれをテレサービスレイヤーに伝達する機能と、移動通信網で認証がイネーブルとなっていると、ＩＳ−６３７に明記された認証のための手続きを行う機能を果たす。  
【００７０】
一方、テレサービスレイヤーは、トランスポートレイヤーのショートメッセージデータパラメータ（Ｓｈｏｒｔ  Ｍｅｓｓａｇｅ  Ｄａｔａ  Ｐａｒａｍｅｔｅｒ）の標準化されたサブパラメータ（ｓｕｂｐａｒａｍｅｔｅｒ）を用いて基本的なＳＭＳ機能を支援する。
【００７１】
即ち、移動通信端末機からＳＭＳユーザーアックメッセージ（Ｕｓｅｒ  Ａｃｋ  Ｍｅｓｓａｇｅ）を伝送する場合、目的地（Ｄｅｓｔｉｎａｔｉｏｎ）住所をトランスポートレイヤーに伝送し、移動通信端末機受信で受信したメッセージがＳＭＳデリバリーメッセージである場合、リプレーオプションがセットされたときにこれを使用者側に伝送し、移動通信端末機の送信である場合、ＳＭＳ送信メッセージ（Ｓｕｂｍｉｔ  Ｍｅｓｓａｇｅ）を送るとき、テレサービスレイヤーは、ＭＥＳＳＡＧＥ＿ＩＤを適切に選択する。
【００７２】
ＳＭＳを行う各レイヤー別メッセージの構造は、下記の図７のようである。
【００７３】
図７は、ＩＳ−６３７の各レイヤー別メッセージの構造を示す。
【００７４】
図７を参照すると、データバーストメッセージ（またはリンクレイヤー）のＣＨＡＲｉメッセージは、ＳＭＳパラメータがキャプシュル化しており、これを分析して上位レイヤーに伝送する。
【００７５】
リンクレイヤー役割を果たすＩＳ−９５−Ａのデータバーストメッセージに基づいてリレーレイヤーのＵｍインタフェースを経由してトランスポートレイヤーが設定される。
【００７６】
トランスポートレイヤーメッセージは、音声メッセージ箱または一般メッセージのようなサービス区分者であるテレサービス職別者（Ｔｅｌｅｓｅｒｖｉｃｅ  Ｉｄｅｎｔｉｆｉｅｒ）（Ａ）、送信側電話番号（Ｏｒｉｇｉｎａｔｉｎｇ  Ａｄｄｒｅｓｓ）（Ｂ）、目的地の電話番号（Ｏｒｉｇｉｎａｔｉｎｇ  Ａｄｄｒｅｓｓ）（Ｃ）、応答要求の可否（Ｂｅａｒｅｒ  Ｒｅｐｌｙ  Ｏｐｔｉｏｎ）及び運搬者データ（Ｂｅａｒｅｒ  Ｄａｔａ）を含む。
【００７７】
前記運搬者データは、テレサービスレイヤーを形成し、前記テレサービスレイヤーは、応用サービスを提供する。前記テレサービスレイヤーは、受信メッセージの内容が入っているユーザーデータ、該当メッセージに対するメッセージセンターの時間（ＭＣ  Ｔｉｍｅ  Ｓｔａｍｐ）、優先順位（Ｐｒｉｏｒｉｔｙ  Ｉｎｄｉｃａｔｏｒ）、秘密可否（Ｐｒｉｖａｃｙ  Ｉｎｄｉｃａｔｏｒ）、メッセージ到着知らせ（Ａｌｅｒｔ  ｏｎ  Ｄｅｌｉｖｅｒｙ）、及び言語区分（Ｌａｎｇｕａｇｅ  Ｉｎｄｉｃａｔｏｒ）で構成される。
【００７８】
図８は、図７に示したテレサービス識別者値の対比内容を説明する図であって、特に、移動通信社で多様なＳＭＳサービスのために採用するテレサービス識別者値の一例を示す。
【００７９】
図８を参照すると、テレサービス識別者（Ａ）が４０９７（または（Ｏｘ１００１）であると、ＰＣＳページングテレサービスを示し、４０９８（またはＯｘ１００２）であると、ＰＣＳメッセージングテレサービスを示し、４０９９（またはＯｘ１００３）であると、音声メール告知を示す。
【００８０】
また、テレサービス識別者（Ａ）が４１００（またはＯｘ１００４）であると、放送テレサービスを示し、４９１５２（またはＯｘＣ０００）であると、韓国ＣＤＭＡ  ＰＣＳ放送テレサービスを示し、４９１５３（またはＯｘＣ００１）であると、放送ＣＤＭＡ  ＰＣＳ対話型テレサービスを示す。
【００８１】
また、テレサービス識別者（Ａ）が４９１５４（またはＯｘＣ００２）であると、ロケーションサービスを示し、４９１５５（またはＯｘＣ００３）であると、モバイルデータターミナルを示す。テレサービス識別者（Ａ）が４９１９９（またはＯｘＣ０２Ｆ）であると、キッドフォーンＵＲＬ（Ｋｉｄ  ｐｈｏｎｅ  ＵＲＬ）自動接続を示し、４９２５４（またはＯｘＣ０６６）であると、キッドフォーン短縮キー自動変更を示す。
【００８２】
また、テレサービス識別者（Ａ）が４０１６（またはＯｘＯＦＢＯ）であると、モバイルネットを示し、４５８５８（またはＯｘＯＦＢＯ）であると、ＳＭＳ  ＵＲＬコールバックを示し、４７８９６（またはＯｘＢ３２２）であると、プラットフォームコールバックを示す。
【００８３】
図８に示したテレサービス識別者（Ａ）に付与される値の他に他の値を付与することで、本発明によるメッセージ確認サービス（ＭＣＳ；Ｍｅｓｓａｇｅ  Ｃｏｎｆｉｒｍａｔｉｏｎ  Ｓｅｒｖｉｃｅ）が達成される。
【００８４】
なぜなら、既にテレサービス識別者（Ａ）に付与される値は、一種の規約として作用するので、使用されない適切な値を設定してメッセージ確認サービスを行うことが望ましい。
【００８５】
図９は、図１に示した送信側または受信側の移動通信端末機の動作を説明する順序図である。図１０は、図９における受信側の移動通信端末機に表示されるメッセージ確認ＳＭＳメッセージの伝送可否を確認するための画面である。
【００８６】
図１乃至図１０を参照すると、移動通信網２００からＳＭＳメッセージを受信した後（段階Ｓ１１０）、受信されたＳＭＳメッセージに含まれるテレサービス識別者が受信側によってＳＭＳメッセージを確認したことを知らせるメッセージ確認ＳＭＳメッセージであるかチェックする（段階Ｓ１１５）。
【００８７】
前記段階Ｓ１１５において、前記テレサービス識別者がメッセージ確認ＳＭＳメッセージでないことにチェックされる場合には、該当移動通信端末機は、ＳＭＳメッセージ受信側に判別され、前記テレサービス識別者が送信側によるメッセージの確認可否を要請するメッセージ確認要請ＳＭＳメッセージであるか否かをチェックする（段階Ｓ１２０）。
【００８８】
前記段階Ｓ１２０において、前記テレサービス識別者がメッセージ確認要請ＳＭＳメッセージでないこととチェックされる場合には、前記テレサービス識別者によって既存のＳＭＳメッセージサービスの処理と同一の処理を行った後（段階Ｓ１２５）、終了する。
【００８９】
前記段階Ｓ１２０において、前記テレサービス識別者がメッセージ確認要請ＳＭＳメッセージでないこととチェックされる場合には、受信されたＳＭＳメッセージを受信トレイに保存し、ＳＭＳメッセージが到着したことを使用者側に知らせる（段階Ｓ１３０）。
【００９０】
その後、使用者が前記受信トレイでＳＭＳメッセージを確認したか否かをチェックし（段階Ｓ１３５）、前記段階Ｓ１３５でＳＭＳメッセージ確認にチェックされる場合にはメッセージ確認ＳＭＳメッセージを送るか否かをチェックする（段階Ｓ１４０）。
【００９１】
即ち、図１０に示したように、別途の画面が受信側の移動通信端末機を通じて表示され、表示される画面でキーパッドやボタン操作を通じて受信側では選択するようになる。
【００９２】
このような受信側のメッセージ確認ＳＭＳメッセージ伝送可否を確認する過程は、送信側の移動通信端末機では見られないことが望ましい。
【００９３】
前記段階Ｓ１４０にて、メッセージ確認ＳＭＳメッセージを送らないこととチェックされる場合には終了し、メッセージ確認ＳＭＳメッセージを送ることとチェックされる場合にはＳＭＳメッセージを受信側が確認したことを知らせるメッセージ確認ＳＭＳメッセージを送信側に伝達する（段階Ｓ１４４）。
【００９４】
ここで、前記メッセージ確認ＳＭＳメッセージのテレサービス識別者は一般的なＳＭＳメッセージサービスのためのパラメータ値とメッセージ確認要請ＳＭＳメッセージのためのパラメータ値の他に別途に決められた値を保存してメッセージ確認ＳＭＳメッセージであることを識別させる。
【００９５】
また、該当メッセージ確認要請ＳＭＳメッセージのトランスポートレイヤーに含まれる送信側の電話番号（Ｏｒｉｇｉｎａｔｉｎｇ  Ａｄｄｒｅｓｓ）値をメッセージ確認ＳＭＳメッセージの目的地の電話番号（Ｄｅｓｔｉｎａｔｉｏｎ  Ａｄｄｒｅｓｓ）値に保存する。前記送信側の電話番号値及び目的地の電話番号値の位置は前記図５に示したようである。
【００９６】
一方、前記段階Ｓ１１５で受信されたＳＭＳメッセージがメッセージ確認ＳＭＳメッセージでないこととチェックされる場合には、該当移動通信端末機はＳＭＳメッセージ受信側に判別され、受信側は図７に示したような送信側の電話番号値と使用者のデータ値を送信済みトレイに保存された値と比較して、該当メッセージ確認要請ＳＭＳメッセージがあるか探索し、該当メッセージの存在有無をチェックする（段階Ｓ１５０、段階Ｓ１５５）。
【００９７】
前記段階Ｓ１５５で前記送信済みトレイに該当メッセージ確認要請ＳＭＳメッセージが存在することがチェックされる場合には、受信側がメッセージを確認したことを知らせる作業を行った後（段階Ｓ１６０）、終了する。
【００９８】
前記受信側がメッセージを確認したことを知らせる作業によって送信側の移動通信端末機には図５のような画面のチェックボックスが表示される。
【００９９】
一方、前記段階Ｓ１５５で前記送信済みトレイにメッセージ確認ＳＭＳメッセージに対応するメッセージ要請ＳＭＳメッセージがないこととチェックされる場合には終了する。
【０１００】
例えば、移動通信端末機の限定されたメモリ空間によって多い量のデータを保存するには不足である。したがって、送信済みトレイには一定数または一定量の送信済みＳＭＳメッセージのみ存在する。
【０１０１】
実質的に、新規に送信済みＳＭＳメッセージが送信済みトレイに保存されることによって、先入れ先出し方式でもっとも古いＳＭＳメッセージは削除される。
【０１０２】
以上、本発明の実施例によって詳細に説明したが、本発明はこれに限定されず、本発明が属する技術分野において通常の知識を有するものであれば本発明の思想と精神を離脱することなく、本発明を修正または変更できる。
【産業上の利用可能性】
【０１０３】
以上説明したように、本発明による移動通信端末機には、送信側が受信側に送るＳＭＳメッセージに対してメッセージ確認要請を付加して送る機能と、受信側が送信側からもらったＳＭＳメッセージを確認する旬間、送信側に受信されたメッセージを確認したことを知らせるメッセージ確認ＳＭＳメッセージを伝送する機能を搭載する。
【０１０４】
これによって、ＳＭＳメッセージに対する受信側の実質的な確認可否の情報を送信側に提供するので、意思伝達の可否の正確性を期することができ、使用上の便宜を図ることができる。
【図面の簡単な説明】
【０１０５】
【図１】本発明の実施例によるＳＭＳメッセージ受信サービス機能を行うサービスシステムを説明する概念図である。
【図２】本発明によるＳＭＳメッセージ受信確認サービス機能を有する移動通信端末機を説明するブロック図である。
【図３】本発明によるＳＭＳメッセージ受信確認サービスに対する送信側の移動通信端末機の使用者画面である。
【図４】本発明によるＳＭＳメッセージ受信確認サービスに対する送信側の移動通信端末機の使用者画面である。
【図５】本発明によるＳＭＳメッセージ受信確認サービスに対する送信側の移動通信端末機の使用者画面である。
【図６】ＳＭＳメッセージサービスのためのＳＭＳプロトコールスタックを示す図である。
【図７】ＩＳ−６３７の各レイヤーのメッセージ構造を示す。
【図８】図７に示したテレサービス識別者値の対比内容を説明する図である。
【図９】図１に示した送信側または受信側の移動通信端末機の動作を説明する順序図である。
【図１０】図９で受信側の移動通信端末機に表示されるメッセージ確認ＳＭＳメッセージの伝送可否を確認するための画面である。
【符号の説明】
【０１０６】
１００    送信側端末機
１１０    制御部
１２０    キーパッド
１３０    表示部
１４０    メモリ部
１５０    オーディオ部
１６０    無線回路部
２００    移動通信網
２１０    送信側基地局
２２０    送信側交換局
２３０    ＮＯ．７移動通信網
２４０    ＨＬＲサーバ
２５０    ＳＭＳＣサーバ
２６０    受信側交換局
２７０    受信側基地局
３００    受信側端末機
【図１】
2009503674.tif 000003
【図２】
2009503674.tif 000004
【図３】
2009503674.tif 000005
【図４】
2009503674.tif 000006
【図５】
2009503674.tif 000007
【図６】
2009503674.tif 000008
【図７】
2009503674.tif 000009
【図８】
2009503674.tif 000010
【図９】
2009503674.tif 000011
【図１０】
2009503674.tif 000012
【国際調査報告】
2009503674.tif 000013
2009503674.tif 000014